(57)【要約】【課題】複数のプレスロールを容易な方法でかつ短時間で、同時に服巻きロールから離間できるようにする。【解決手段】服巻きロール（４）に対して接離可能に設けられた複数のプレスロール（６）を備えたプレスロール装置（２）において、一方のプレスロール（６）と他方のプレスロール（６）との間に伝達部材（７）を設け、前記伝達部材（７）は、服巻きロール（４）からの一方のプレスロール（６）の離間を他方のプレスロール（６）に伝達して、他方のプレスロールを服巻きロール（４）から離間させる。【選択図】      図１
2005009025.tif 000002
【特許請求の範囲】
【請求項１】
服巻きロール（４）に対して接離可能に設けられた複数のプレスロール（６）を備えたプレスロール装置（２）において、
一方のプレスロール（６）と他方のプレスロール（６）との間に伝達部材（７）を設け、前記伝達部材（７）は、服巻きロール（４）からの一方のプレスロール（６）の離間を他方のプレスロール（６）に伝達して、他方のプレスロールを服巻きロール（４）から離間させることを特徴とする織機のプレスロール装置（２）。
【請求項２】
各プレスロール（６）をプレスレバー（１０、１１）によりフレーム（１３）に対して揺動可能に設け、伝達部材（７）を一方のプレスロール（６）の揺動運動を他方のプレスロール（６）の揺動運動として係合により伝達するもの（８・９、２５・２６、３３・３４）により構成することを特徴とする請求項１記載の織機のプレスロール装置（２）。
【請求項３】
複数のプレスレバー（１０、１１）のうち、いずれかのプレスバー（１０、１１）をリフトアップレバー（１７）の操作により揺動させることを特徴とする請求項２記載の織機のプレスロール装置（２）。
【請求項４】
プレスレバー（１０、１１）またはフレーム（１３）のいずれか一方に、リフトアップレバー（１７）を回動可能に設け、リフトアップレバー（１７）の一部を他方に当接させながら回動させることにより、各プレスロール（６）を服巻きロール（４）から離間させることを特徴とする請求項２記載の織機のプレスロール装置（２）。
【請求項５】
リフトアップレバー（１７）を、プレスレバー（１０）に対して回動自在に支持されたリフトアップ用バー（１７ａ）およびリフトアップ用バー（１７ａ）に回転自在に取付けられたローラ（１９）およびローラ（１９）に当接する位置で固定された固定壁（２０）により構成することを特徴とする請求項４記載の織機のプレスロール装置（２）。
【請求項６】
リフトアップレバー（１７）を、フレーム（１３）に対して偏心ピン（２３）により回動自在に支持されたリフトアップ用バー（１７ａ）、リフトアップ用バー（１７ａ）と一体に回転自在に取付けられたカム（２２）およびカム（２２）に当接する位置でプレスレバー（１０）に固定されたリフトアップレバー受け部（２４）により構成することを特徴とする請求項４記載の織機のプレスロール装置（２）。
【請求項７】
リフトアップレバー（１７）をプレスレバー（１０）の回転軸（１４）に対して回動自在に支持されたリフトアップ用バー（１７ａ）により構成し、伝達部材（７）をプレスレバー（１０、１１）の回転軸（１４、１５）に取付けられ互いに係合するもの（２５・２６、３３・３４）により構成することを特徴とする請求項３記載の織機のプレスロール装置（２）。
【発明の詳細な説明】
【０００１】
【発明が属する技術分野】
本発明は、機掛け（織り付け作業）等を行う際に、複数のプレスロールを同時に服巻きロールから離間させるための織機のプレスロール装置に関する。
【０００２】
【従来の技術】
【特許文献１】特開平１０−１１０３５６号公報
【０００３】
特許文献１は、織機の巻取りプレスローラ装置を開示している。その織機の巻取りプレスローラ装置は、サーフェスローラ（服巻きローラ）に対して複数のプレスローラを圧接させている。その巻取りプレスローラ装置で、作業者は、機掛け作業（織り付け作業）、すなわち巻取りロール側の織布に経糸を結び、その織布を巻取り経路に通し、シート状の経糸を案内する作業を行う際に、織布を巻取り経路に通すために、複数のプレスローラごとに操作レバーを操作し、各プレスローラをサーフェスローラから離間させている。
【０００４】
【発明が解決しようとする課題】
しかし、上記の技術では、全てのプレスロールを離間させるのに、プレスロールごとに操作レバーを操作しなくてはならず、全てのプレスロールを離間させるのに時間と手間が掛かる。
【０００５】
したがって、本発明の目的は、簡易な手段でかつ短時間で、複数のプレスロールを服巻きロールから同時に離間できるようにすることである。
【０００６】
【課題を解決するための手段】
上記目的のもとに、本発明は、服巻きロール（４）に対して接離可能に設けられた複数のプレスロール（６）を備えたプレスロール装置（２）において、
一方のプレスロール（６）と他方のプレスロール（６）との間に伝達部材（７）を設け、前記伝達部材（７）は、服巻きロール（４）からの一方のプレスロール（６）の離間を他方のプレスロール（６）に伝達して、他方のプレスロールを服巻きロール（４）から離間させるようにしている（請求項１）。
【０００７】
各プレスロール（６）はプレスレバー（１０、１１）によりフレーム（１３）に対して揺動可能に設けられ、伝達部材（７）は一方のプレスロール（６）の揺動運動を他方のプレスロール（６）の揺動運動として係合により伝達するもの（８・９、２５・２６、３３・３４）により構成される（請求項２）。前記伝達部材（７）は、好ましくは、回動軸周りに回動可能な係合部および被係合部からなり、係合部および被係合部には、回動軸から回動軸半径方向に離間し、回動軸半径方向に延在する単数または複数の係止部が設けられ、一方のプレスロール（６）の服巻きロール（４）からの離間動作の間、係合部と被係合部との互いの係止部による係合を維持する構成が望ましい。
【０００８】
複数のプレスレバー（１０、１１）のうち、いずれかのものは、リフトアップレバー（１７）の操作により揺動させられる（請求項３）。また、プレスレバー（１０、１１）またはフレーム（１３）のいずれか一方に、リフトアップレバー（１７）を回動可能に設け、リフトアップレバー（１７）の一部を他方に当接させながら回動させることにより、各プレスロール（６）は、服巻きロール（４）から離間させられる（請求項４）。
【０００９】
リフトアップレバー（１７）は、プレスレバー（１０）に対して回動自在に支持されたリフトアップ用バー（１７ａ）、リフトアップ用バー（１７ａ）に回転自在に取付けられたローラ（１９）およびローラ（１９）に当接する位置で固定された固定壁（２０）により構成される（請求項５）か、またはフレーム（１３）に対して偏心ピン（２３）により回動自在に支持されたリフトアップ用バー（１７ａ）、リフトアップ用バー（１７ａ）と一体に回転自在に取付けられたカム（２２）およびカム（２２）に当接する位置でプレスレバー（１０）に固定されたリフトアップレバー受け部（２４）により構成される（請求項６）。また、リフトアップレバー（１７）はプレスレバー（１０）の回転軸（１４）に対して回動自在に支持されたリフトアップ用バー（１７ａ）により構成され、伝達部材（７）はプレスレバー（１０、１１）の回転軸（１４、１５）に取付けられ互いに噛み合うもの（２５・２６、３３・３４）により構成される（請求項７）。
【００１０】
【発明の実施の形態】
図１および図２は、織機の巻取り装置１および織機の巻取り装置１に組み込んだ本発明の織機のプレスロール装置２を示している。これらの図１および図２において、織機の巻取り装置１は、製織された織布１２の巻取り位置で、織幅以上で平行な幅出しロール３、服巻きロール４、巻取りロール５、および服巻きロール４に対して接離可能に設けられた複数のプレスロール６（第１プレスロール６ａおよび第２プレスロール６ｂ）を有している。織布１２は、幅出しロール３、服巻きロール４、第１プレスロール６ａ、第２プレスロール６ｂに順次巻き掛けられ、巻取りロール５の外周に巻き取られる。
【００１１】
そして、本発明の織機のプレスロール装置２は、服巻きロール４に対して接離可能に設けられた複数のプレスロール６としての第１プレスロール６ａおよび第２プレスロール６ｂを服巻きロール４から引き離すために、第１プレスロール６ａの運動を第２プレスロール６ｂに伝達する伝達部材７としての突起部８、９を有する。これらの突起部８、９は、それぞれ第１プレスロール６ａおよび第２プレスロール６ｂを回転自在に支持する第１プレスレバー１０、第２プレスレバー１１のボス部に形成されている。なお、図１、図２の場合は、第１プレスレバー１０および第２プレスレバー１１のそれぞれのボス部がそれぞれ係合部、被係合部であり、突起部８、９は、係合部、被係合部のそれぞれに形成された単数の係止部である。
【００１２】
幅出しロール３、服巻きロール４、巻取りロール５は、織機の巻取り装置１の左右一対のフレーム１３に回転可能に軸支されている。また、第１プレスロール６ａおよび第２プレスロール６ｂは、それぞれ左右一対の第１プレスレバー１０および左右一対の第２プレスレバー１１に回動可能に取り付けられ、これらは、固定軸１４、１５を介してフレーム１３に回動可能に支持されており、また引張りばね１６によって服巻きロール４に向けて付勢されて、織布１２を服巻きロール４に押圧している。
【００１３】
左右一対の第１プレスレバー１０には、それぞれリフトアップレバー１７がピン２１により回動可能に取り付けられている。リフトアップレバー１７は、リフトアップ用バー１７ａと、握り部１８と、ローラ１９とから構成されており、言い換えると、第１プレスロール６ａの回転軸と同軸にリフトアップレバー１７が設けられ、リフトアップレバー１７において、握り部１８に対して反対側に延在した端部にリフトアップレバー１７の一部としてローラ１９が設けられており、図１でリフトアップ用バー１７ａの反時計方向への回転にともなって、ローラ１９は、フレーム１３に固定されている固定壁２０の上面に沿って回転移動できるようになっている。なお、左右一対のリフトアップ用バー１７ａは、必要に応じて連結部材１７ｂにより連結されており、ともに同じ角度で回動するようになっている。
【００１４】
図１で固定壁２０の右側上面は、ピン２１を中心とするローラ１９の回動軌跡の内側に位置しているため、リフトアップ用バー１７ａの反時計方向への回転にともない、左右一対の第１プレスレバー１０は、持ち上げられて、反時計方向に回転し、第１プレスロール６ａを服巻きロール４から離す方向に回動することになる。
【００１５】
また、第１プレスロール６ａのボス部と、第２プレスロール６ｂのボス部には伝達部材７としての突起部８、９がそれぞれ設けられており、互いに係合するようになっている。このため左右一対の第１プレスレバー１０の動き（回動）は、突起部８、９の係合により左右一対の第２プレスレバー１１に伝達される。
【００１６】
図１および図２において、２人または１人の作業者が左右一対のリフトアップ用バー１７ａを同時に、図１で反時計方向に回転させると、まず、それぞれのローラ１９は、対応の固定壁２０に接触し、さらに固定壁２０の上面に沿って移動する。これに伴って、第１プレスレバー１０およびこれと一体の第１プレスロール６ａは、引張りばね１６の引張り力に抗して、固定軸１４を中心とした反時計方向の回動運動を行い、引服巻きロール４から離間させる。なお、このときの操作力は、てこの原理により軽く設定されている。
【００１７】
図１において、ローラ１９がピン２１の垂直線を越えそれより右側に移動し、固定壁２０と一体のストッパー部２０ａに当たると、左右一対のリフトアップ用バー１７ａは、固定壁２０とストッパー部２０ａとの間でロック状態となる。このため、作業者がリフトアップ用バー１７ａから手を離しても、第１プレスロール６ａは、引張りばね１６の引張り力に抗して、固定軸１４を中心とした回動運動は、服巻きロール４から離れたままの状態となっている。
【００１８】
また、第１プレスレバー１０の反時計方向への回動運動に伴って、第１プレスレバー１０と一体の突起部８は、突起部９に係り合い、第２プレスレバー１１を時計方向に回動させる。第２プレスレバー１１は、回転軸１５を中心として時計方向に回動する過程で、第２プレスロール６ｂを同時に服巻きロール４から離間させる。このようにして、リフトアップ用バー１７ａの操作に伴う突起部８と突起部９との連動関係により、第１プレスロール６ａおよび第２プレスロール６ｂは、回転軸１５を中心として回動し、服巻きロール４から離間する。
【００１９】
このように織り付け作業を行う際に、一対のリフトアップ用バー１７ａの操作により、２つのプレスロール６（第１プレスロール６ａおよび第２プレスロール６ｂ）が服巻きロール４から離間するから、織布１２を巻取り経路に容易に通すことができる。また、ローラ１９と固定壁２０との接触点の位置、ピン２１の位置（支点）、リフトアップ用バー１７ａに対する操作位置の比（支点）によるてこの原理によって、作業者は、小さな力でリフトアップ用バー１７ａを操作できる。なお、この離間操作時に、必要に応じて２つの引張りばね１６を外しておけば、一層小さな力で操作できる。
【００２０】
織り付け作業後に、プレスロール６（第１プレスロール６ａおよび第２プレスロール６ｂ）をもとの位置に復帰させるときには、リフトアップ用バー１７ａを逆方向に回転させればよい。この復帰操作により、プレスロール６（第１プレスロール６ａおよび第２プレスロール６ｂ）は、同時にもとの位置に復帰し、巻取り経路の織布１２に接触し、織布１２を服巻きロール４に押圧する。
【００２１】
前記のように、左右一対のリフトアップ用バー１７ａが連結部材１７ｂにより連結されていて、ともに同じ角度で回動するようになっていると、左右のリフトアップ用バー１７ａが１人の作業者により回動操作ができるので、有利である。なお、この例では、第１プレスロール６ａの両端にリフトアップ用バー１７ａを設けているが、左右の第１プレスレバー１０が連動する関係にあれば、いずれか一方にのみリフトアップ用バー１７ａを設けることもできる。さらに、リフトアップレバー１７（リフトアップ用バー１７ａ）を人力によらず、エアシリンダ等のアクチュエータで回転させてもよい。このような構成は、以下のすべての例にも可能な限り適用できる。
【００２２】
つぎに、図３ないし図８は、本発明の他の例を示している。まず、図３は、伝達部材７の突起部８を第１プレスレバー１０に設けず、第１プレスレバー１０と一体の回転軸１４に設けた例である。なお、これに対応して、突起部９も第２プレスレバー１１に設けずに、第２プレスレバー１１と一体の回転軸１５に設けることもできる。この例のように、伝達部材７として突起部８、９を回転軸１４、１５に設ける他、ギヤ等を回転軸１４、１５の双方に取り付けて、第１プレスロール６ａの揺動運動を第２プレスロール６ｂに伝達してもよい。
【００２３】
図４および図５は、カム機構を用いて第１プレスレバー１０を操作する例である。図１および図２の例では、リフトアップレバー１７を第１プレスレバー１０に取り付けているのに対し、この例では、リフトアップレバー１７をカム２２の偏心ピン２３によりフレーム１３に回動可能に取り付け、第１プレスレバー１０に、楕円状のカム２２に当接するリフトアップバー受け部２４を設けている。このように、偏心ピン２３は、常に定位置にあり、その位置で、カム２２の外周面は、リフトアップバー受け部２４に接している。
【００２４】
リフトアップ用バー１７ａを図４で反時計回りに回動させると、カム２２は、偏心ピン２３を中心に回動し、大きなリフト位置（偏心ピン２３から大きく離れた外周面位置）でリフトアップレバー受け部２４およびこれと一体の第１プレスレバー１０を持ち上げ、第１プレスロール６ａを服巻きロール４から引き離す。このとき、前記の例と同様に、第１プレスレバー１０は、回動する過程で、爪状の突起部８、９の係合により第２プレスレバー１１を時計方向に回動させ、第２プレスロール６ｂを服巻きロール４から離間させる。なお、カム２２は、レバーとその先端のローラに置き換えることもできる。図３、図４の場合も、図１、図２の場合と同様に、第１プレスレバー１０と第２プレスレバー１１のそれぞれのボス部がそれぞれ係合部、被係合部であり、突起部８、９は係合部、被係合部それぞれに形成された単数の係止部である。
【００２５】
図６は、伝達部材７を係合するものとして一対のギヤ２５、２６により構成する例である。リフトアップレバー１７（リフトアップ用バー１７ａ）、第１プレスレバー１０およびギヤ２５は、回転軸１４を中心として一体に回動する。またギヤ２６は、ギヤ２５と噛み合っており、第２プレスレバー１１と一体に回転軸１５を中心として回動するように構成されている。図６の場合は、ギヤ２５、２６がそれぞれ係合部、被係合部であり、それぞれのギヤ２５、２６に形成されているギヤ歯が複数の係止部である。
【００２６】
リフトアップ用バー１７ａを図６で反時計回りに回転させると、第１プレスレバー１０および第１プレスロール６ａは、服巻きロール４から離間し、また、これに連動してギヤ２５、２６の噛み合いにより、第２プレスレバー１１および第２プレスロール６ｂも服巻きロール４から離間する。なお、ギヤ２５と第１プレスレバー１０、およびギヤ２６と第２プレスレバー１１は、別部品とせずそれぞれギヤとプレスレバーとを一体的に構成してもよい。プレスロール６ａ、６ｂを服巻きロール４から離間した状態で固定する場合には、例えば各第１プレスレバー１０、第２プレスレバー１１に貫通孔を設け、さらに、プレスロール６ａ、６ｂを服巻きロール４から離間した状態での、各第１プレスレバー１０、第２プレスレバー１１に形成された貫通孔と対応するフレーム１３の箇所にも貫通孔を設け、単体の係止ピンを上記両貫通孔に貫通させることにより固定してもよい。
【００２７】
図７は、図１のものにおいて、巻取りロール５を押さえるために、第３プレスロール２７を追加し、この第３プレスロール２７を第３プレスレバー２９により支持するとともに、第２プレスレバー１１の伝達部材７としての突起部３０と、第３プレスレバー２９の伝達部材７としての突起部３１との連動関係により、第３プレスレバー２９を離間方向に変位させる例である。なお、第３プレスレバー２９は、フレーム１３に固定された回転軸２８により定位置で回動自在に支持されている。
【００２８】
図１での説明の通り、リフトアップ用バー１７ａの操作により、第１プレスロール６ａおよび第２プレスロール６ｂは、服巻きロール４から離れるが、このときの第２プレスレバー１１の動きが伝達部材７としての突起部３０と突起部３１との連動関係によって、第３プレスレバー２９に伝達されるため、第３プレスロール２７は、それらと同時に巻取りロール５から離れ、離間する。なお、巻取りロール５に織布１２が巻き取られていくと、突起部３０、３１は、離れて噛み合わなくなるが、これらは、織り付け作業を行う際に、つまり巻取りロール５に織布１２を巻きつける初期に用いるものなので、問題はない。
【００２９】
最後の図８は、前記図６の例において、伝達部材７としてのギヤ２５、２６に代えて、噛み合うものとして凹凸状の部品すなわち凸部品３３とこれに係合する凹部品３４とを用いた例である。凸部品３３は、第１プレスレバー１０、リフトアップレバー１７と一体に回転軸１４を中心として回動し、凹部品３４は、第２プレスレバー１１と一体に回転軸１５を中心として回動する。凸部品３３と凹部品３４とは互いに係合しており、リフトアップ用バー１７ａを反時計回りに回転させると、第１プレスレバー１０および第１プレスロール６ａは、服巻きロール４から離間し、また連動して第２プレスレバー１１および第２プレスロール６ｂも服巻きロール４から離間する。
【００３０】
図８の場合は、凸部品３３と凹部品３４がそれぞれ係合部、被係合部であり、凸部品３３に形成された突起部、凹部品３４に形成された凹部がそれぞれ係止部である。なお、伝達部材７としての図６のギヤ２５、２６、および図８の凸部品３３と凹部品３４を、図１と図４と図７の例に適用してもよい。また、図８は図６と同様に、各第１プレスレバー１０、第２プレスレバー１１およびフレーム１３に貫通孔を設け、単体の係止ピンを上記両貫通孔に貫通させることにより、プレスロール６ａ、６ｂを服巻きロール４から離間した状態で固定してもよい。
【００３１】
【発明の効果】
請求項１によれば、服巻きロールに対して接離可能に設けられた複数のプレスロールを備えた織機のプレスロール装置において、プレスロール装置は、いずれかのプレスロールの運動をその他のプレスロールに伝達する伝達部材を有し、その他のプレスロールは、前記いずれかのプレスロールが服巻きロールから離間する動作と連動して服巻きロールから離間するから、いずれか１つのプレスロールが離間することで、伝達部材で連結されている他のプレスロールを同時に離間することができ、容易な方法で、かつ短時間で複数のプレスロールが離間でき作業性が向上する。
【００３２】
請求項２によれば、複数のプレスロールは、揺動可能に設けられており、伝達部材は前記いずれかのプレスロールの揺動運動と連動して、その他のプレスロールを揺動させるから、簡単な機構で、複数のプレスロールを服巻きロールから離間させることができる。
【００３３】
請求項３によれば、いずれかのプレスロールをリフトアップレバーの操作によって揺動運動させ、その他のプレスロールは、前記いずれかのプレスロールの揺動運動と連動して揺動運動を行い、また請求項４によれば、リフトアップレバーの一部をプレスレバーまたはフレームのいずれかに当接させながら回動させることにより、作業者はリストアップレバーを操作するだけで、プレスロールを服巻きロールから離間させることができる。
【００３４】
請求項５によれば、リフトアップレバーを、プレスレバーに対して回動自在に支持されたリフトアップ用バー、リフトアップ用バーに回転自在に取付けられたローラおよびこのローラに当接する位置で固定された固定壁により構成されるので、リフトアップ用バーの操作力が軽くでき、またリフトアップ位置でリフトアップ用バーが安定する。
【００３５】
請求項６によれば、カム機構を利用しているので、カム形状の選定により離間させる量が自由に設定できる。
【００３６】
請求項７によれば、伝達部材をプレスレバーの回転軸に取付け、互いに係合するものにより構成しているから、リフトアップレバーの回動角度の範囲が任意に設定できる。
【図面の簡単な説明】
【図１】織機のプレスロール装置の第１実施例の要部の側面図である。
【図２】織機のプレスロール装置の第１実施例の要部の平面図である。
【図３】織機のプレスロール装置でプレスレバー部の斜面図である。
【図４】織機のプレスロール装置の第２実施例の要部の側面図である。
【図５】織機のプレスロール装置の第２実施例の一部の平面図である。
【図６】織機のプレスロール装置の第３実施例の要部の側面図である。
【図７】織機のプレスロール装置の第４実施例の要部の側面図である。
【図８】織機のプレスロール装置の第５実施例の要部の側面図である。
【符号の説明】
１  織機の巻取り装置
２  織機のプレスロール装置
３  幅出しロール
４  服巻きロール
５  巻取りロール
６  プレスロール
６ａ  第１プレスロール
６ｂ  第２プレスロール
７  伝達部材
８  突起部
９  突起部
１０  第１プレスレバー
１１  第２プレスレバー
１２  織布
１３  フレーム
１４  回転軸
１５  回転軸
１６  引張りばね
１７  リフトアップレバー
１７ａ  リフトアップ用バー
１７ｂ  連結部材
１８  握り部
１９  ローラ
２０  固定壁
２０ａ  ストッパー部
２１  ピン
２２  カム
２３  偏心ピン
２４  リフトアップレバー受け部
２５  ギヤ
２６  ギヤ
２７  第３プレスロール
２８  回転軸
２９  第３プレスバー
３０  突起部
３１  突起部
３２  巻取り軸
３３  凸部品
３４  凹部品
【図１】
2005009025.tif 000003
【図２】
2005009025.tif 000004
【図３】
2005009025.tif 000005
【図４】
2005009025.tif 000006
【図５】
2005009025.tif 000007
【図６】
2005009025.tif 000008
【図７】
2005009025.tif 000009
【図８】
2005009025.tif 000010